(57)【要約】【課題】ケーブルの余剰分を束ねるなどの必要がなく、所要の長さ分だけを整然と引き出して確実に固定することができるケーブル固定装置を提供する。【解決手段】ケーブル固定装置１は、給電用、信号用などのケーブル１７を所要の長さに引き出して固定するためのものである。ケーブル１７を這わせて引き出す本体部２と、本体部２に被せる蓋体部３からなる。本体部２と蓋体部３の互いの対向面には、本体部２に這わせたケーブル１７を、本体部２に蓋体部３を被せて固定する凹凸押さえ構造１６を有する。本体部２と蓋体部３は、薄肉のヒンジ４で一体に形成されている。本体部２に対して蓋体部３はヒンジ４によって開閉自在に構成されている。ヒンジ４には、ケーブル１７を通して引き出すケーブル挿通孔１１が形成されている。本体部２の蓋体部３を被せる部分は凹部５をなしている。蓋体部３は本体部２の凹部５に落ち込み状に被せるように構成されている。【選択図】        図１
2004304074.tif 000002
【特許請求の範囲】
【請求項１】
給電用、信号用などのケーブルを所要の長さに引き出して固定するケーブルの固定装置であって、ケーブルを這わせて引き出す本体部と、本体部に被せる蓋体部からなり、本体部と蓋体部の互いの対向面には、本体部に這わせたケーブルを本体部に蓋体部を被せて固定する凹凸押さえ構造を有することを特徴とするケーブルの固定装置。
【請求項２】
本体部と蓋体部は、薄肉のヒンジで一体に形成されていて、本体部に対して蓋体部がヒンジによって開閉自在に構成されていることを特徴とする請求項１記載のケーブルの固定装置。
【請求項３】
薄肉のヒンジには、ケーブルを通して引き出すケーブル挿通孔を形成したことを特徴とする請求項２記載のケーブル固定装置。
【請求項４】
本体部の蓋体部を被せる部分は凹部をなし、蓋体部は本体部の凹部に落ち込み状に被せるように構成されていることを特徴とする請求項１、２または３記載のケーブルの固定装置。
【請求項５】
本体部の凹部の内側面には、被せた蓋体部を固定する突起を形成してあることを特徴とする請求項４記載のケーブルの固定装置。
【発明の詳細な説明】
【０００１】
【発明の属する技術分野】
本発明は、各種電子機器、電気機器などにおいて、給電用、信号用などのケーブルを所要の引き出し長さに固定するケーブル装置に関するものである。
【０００２】
【従来の技術】
従来のこの種のケーブル固定装置としては、特開平１１−１４５６４２号公報に示すように、電源コードなどのケーブルの余剰分を束ねて弾性伸縮性の保持片により固定して所要の長さ分だけ引き出すようにしたものや、特開２００２−６３９６９号公報に示すように、余剰分をカバー内で束ねて保持して所要の長さ分だけを引き出すようにしたものが知られている。
【０００３】
【発明が解決しようとする課題】
ところで、前記特開平１１−１４５６４２号または特開２００２−６３９６９号公報に示すケーブルの固定手段では、ケーブルの余剰分を束ねなければならにので、その固定作業が煩雑であるだけでなく、ケーブルを束ねて固定した部分から引き出されたケーブルが少し強く引かれると、束ねて固定されている部分が延び出してしまい、ケーブルの固定状態が不確実である。
【０００４】
そこで、本発明は、ケーブルを這わせて引き出す本体部と、本体部に被せる蓋体部を備えて、本体部に対して蓋体部を被せて本体部に這わせたケーブルを固定することにより、ケーブルの余剰分を束ねるなどの必要がなく、所要の長さ分だけを整然と引き出して確実に固定することができるケーブルの固定装置を提供することを目的とするものである。
【０００５】
【課題を解決するための手段】
上記目的を達成するための本発明の請求項１に係るケーブルの固定装置は、給電用、信号用などのケーブルを所要の長さに引き出して固定するケーブルの固定装置であって、ケーブルを這わせて引き出す本体部と、本体部に被せる蓋体部からなり、本体部と蓋体部の互いの対向面には、本体部に這わせたケーブルを本体部に蓋体部を被せて固定する凹凸嵌合構造を有することを特徴とするものである。
【０００６】
本発明の請求項２に係るケーブルの固定装置は、請求項１記載の構成において、本体部と蓋体部は、薄肉のヒンジで一体に形成されていて、本体部に対して蓋体部がヒンジによって開閉自在に構成されていることを特徴とするものである。
【０００７】
本発明の請求項３に係るケーブルの固定装置は、請求項２記載の構成において、薄肉のヒンジには、ケーブルを通して引き出すケーブル挿通孔を形成したことを特徴とするものである。
【０００８】
本発明の請求項４に係るケーブルの固定装置は、請求項１、２または３記載の構成において、本体部の蓋体部を被せる部分は凹部をなし、蓋体部は本体部の凹部に落ち込み状に被せるように構成されていることを特徴とするものである。
【０００９】
本発明の請求項５に係るケーブルの固定装置は、請求項４記載の構成において、本体部の凹部の内側面には、被せた蓋体部を固定する突起を形成してあることを特徴とするものである。
【００１０】
【発明の実施の形態】
図１は本発明の一実施の形態に係るケーブルの固定装置の蓋体部を半開きした状態を示す斜視図、図２は蓋体部を開いた状態を示す斜視図、図３は蓋体部を閉じた状態を示す断面図である。
【００１１】
本発明に係るケーブルの固定装置１は、熱可塑性プラスチックの成形品であって、本体部２と蓋体部３からなり、本体部２に対して蓋体部３は薄肉のヒンジ４によって一体に成形されていて、本体部２に蓋体部３を被せて閉じた状態と、蓋体部３を開いた状態に開閉自在である。
【００１２】
本体部２は蓋体部３を被せる部分は凹部５をなし、蓋体部３は本体部２の凹部５に落ち込み状に被せるように構成されている。そして、本体部２の凹部５の内側面６には、被せた蓋体部３を固定する突起７が形成されおり、蓋体部３の側面８には上記突起７に対応する係止凹部９が形成されている。
【００１３】
本体部２の凹部５には、ケーブルを這わせる凹溝１０が形成されており、ヒンジ４の上記凹溝１０に対応する部分にはケーブル挿通孔１１が形成されている。
また、蓋体部３の裏面には本体部２の凹溝１０に対応する凹溝１２が形成されており、本体部２に対して蓋体部３を閉じた状態で凹溝１０，１１によってダクト状のケーブル挿通路１３が形成されるようになっている。
【００１４】
本体部２の中央部には、前記凹溝１０を跨ぐように押さえ凹部１４が形成されており、蓋体部３には上記押さえ凹部１４に嵌合する押さえ凸部１５が形成されていて、これら押さえ凹部１４と押さえ凸部１５により本体部２に這わせたケーブルを本体部２に蓋体部３を被せて固定する凹凸押さえ構造１６を構成している。この凹凸押さえ構造１６は、本体部２と蓋体部３とで凹凸が逆であってもよい。１７はケーブルであってその先端には鰐口クリップ１８が取り付けられている。なお、図示のケーブル１７は、機器の安全を保つためのアース用ケーブルである。
【００１５】
本発明に係るケーブルの固定装置１において、ケーブル１７は本体部２の凹溝１０内を這わせて所要の引き出し長さ分だけヒンジ４のケーブル挿通孔１１から引き出され、かつその状態で本体部２に対して蓋体部３を閉じれば、蓋体部３は本体部２側の突起７と蓋体部３側の係止凹部９の係合により、ケーブル１７は本体部２の押さえ凹部１４と蓋体部３の押さえ凸部１５にやや屈曲状に押さえ付けられた状態で確実に固定される（図３参照）。したがって、ケーブル１７の引き出し分を引いてもその引き出し長さは変わらず、ケーブル１７の引き出し分は整然とした状態に保持される。また、本体部２に対して蓋体部３を開くことによって、押さえ凹部１４と押さえ凸部１５によるケーブル１７の固定状態が解除されるので、ケーブル１７の引き出し長さの調節を容易かつ的確に行うことができる。
【００１６】
【発明の効果】
本発明によれば、ケーブルを這わせて引き出す本体部と、本体部に被せる蓋体部を備えて、本体部に対して蓋体部を被せて本体部に這わせたケーブルを固定することにより、ケーブルの余剰分を束ねるなどの必要がなく、所要の長さ分だけを整然と引き出して確実に固定することができるものである。
【図面の簡単な説明】
【図１】本発明の一実施の形態に係るケーブルの固定装置の蓋体部を半開きした状態を示す斜視図である。
【図２】蓋体部を開いた状態を示す斜視図である。
【図３】蓋体部を閉じた状態を示す断面図である。
【符号の説明】
１  ケーブルの固定装置
２  本体部
３  蓋体部
４  ヒンジ
５  凹部
６  内側面
７  突起
８  側面
９  係止凹部
１０  凹溝
１１  ケーブル挿通孔
１２  凹溝
１３  ケーブル挿通路
１４  押さえ凹部
１５  押さえ凸部
１６  凹凸押さえ構造
１７  ケーブル
１８  鰐口クリップ
【図１】
2004304074.tif 000003
【図２】
2004304074.tif 000004
【図３】
2004304074.tif 000005